(57)【要約】【課題】簡易な構成でセキュリティの高い認証を行う。【解決手段】認証装置１００は、可視光を照射するバックライトと、バックライトが照射する可視光が認証カードで反射した反射光を像として検知する可視光センサと、赤外光を照射する赤外光ライトと、該赤外光ライトが照射する赤外光が上記認証カードで反射した反射光を像として検知する赤外光センサとを含む表示／光センサ部３００と、上記可視光センサが検知した像の「ｍａｒｋ Ａ」から取得した認証情報を用いて、上記認証カードが正当であるか否かを判定する可視光画像認証部２２と、上記赤外光センサが検知した像の「ｍａｒｋ Ｃ」から取得した認証情報を用いて、上記認証カードが正当であるか否かを判定する第１赤外画像認証部２３とを備え、判定の結果が全て正当である場合に、上記認証対象物が正当であると判定するので、簡易な構成でセキュリティの高い認証を行うことができる。【選択図】図１
2011059794.tif 000002
【特許請求の範囲】
【請求項１】
面状部材を用いて、第１認証マーク及び第２認証マークを有する認証対象物の像を検知し、検知した像における第１認証マーク及び第２認証マークから、第１認証情報及び第２認証情報をそれぞれ取得して認証を行う認証装置であって、
上記第１認証マークは可視光を反射するものであり、上記第２認証マークは赤外光を反射するものであり、
上記面状部材は、
上記認証対象物に可視光を照射する可視光照射部と、
該可視光照射部が照射する可視光が上記認証対象物で反射した反射光を像として検知する可視光検知部と、
上記認証対象物に赤外光を照射する赤外光照射部と、
該赤外光照射部が照射する赤外光が上記認証対象物で反射した反射光を像として検知する赤外光検知部とを含み、
上記可視光検知部が検知した像の第１認証マークから取得した上記第１認証情報を用いて、上記認証対象物が正当であるか否かを判定する可視光認証手段と、
上記赤外光検知部が検知した像の第２認証マークから取得した上記第２認証情報を用いて、上記認証対象物が正当であるか否かを判定する第１赤外光認証手段とを備え、
判定の結果が全て正当である場合に、上記認証対象物が正当であると判定することを特徴とする認証装置。
【請求項２】
上記認証対象物における上記第１認証マーク及び第２認証マークの配置を示す配置情報を格納する配置情報記憶部と、
上記可視光検知部が検知した像における上記第１認証マークの配置、及び上記赤外光検知部が検知した像における上記第２認証マークの配置の両方が、上記配置情報記憶部に格納されている配置情報が示す上記第１認証マーク及び第２認証マークの配置と一致する場合に、上記認証対象物が正当であると判定する配置認証手段を備えていることを特徴とする請求項１に記載の認証装置。
【請求項３】
上記認証対象物は、赤外光の反射率が上記第２認証マークと異なる第３認証マークを有しており、
上記第１赤外光認証手段は、上記赤外光検知部が検知した像において、輝度値の相違に基づき上記第２認証マークと第３認証マークとを識別して、上記第２認証マークから上記第２認証情報を取得し、
上記赤外光検知部が検知した像において、輝度値の相違に基づき上記第２認証マークと第３認証マークとを識別して、上記第３認証マークから上記第３認証情報を取得し、該取得した第３認証情報を用いて、上記認証対象物が正当であるか否かを判定する第２赤外光認証手段を備えていることを特徴とする請求項１または２に記載の認証装置。
【請求項４】
上記面状部材上に予め定めた領域を示す領域情報を格納する領域情報記憶部と、
上記認証対象物が、上記領域情報記憶部に格納されている領域情報が示す領域内で検知された場合に、上記認証対象物が正当であると判定する領域認証手段を備えていることを特徴とする請求項１から３の何れか１項に記載の認証装置。
【請求項５】
上記面状部材は、画像を表示する機能をさらに有し、
上記面状部材上における上記認証対象物の像を検知する領域を、当該面状部材に表示する表示処理手段を備えていることを特徴とする請求項１から３の何れか１項に記載の認証装置。
【請求項６】
面状部材を用いて、第１認証マーク及び第２認証マークを有する認証対象物の像を検知し、検知した像における第１認証マーク及び第２認証マークから、第１認証情報及び第２認証情報をそれぞれ取得して認証を行う認証装置の制御方法であって、
上記第１認証マークは可視光を反射するものであり、上記第２認証マークは赤外光を反射するものであり、
上記面状部材は、
上記認証対象物に可視光を照射する可視光照射部と、
該可視光照射部が照射する可視光が上記認証対象物で反射した反射光を像として検知する可視光検知部と、
上記認証対象物に赤外光を照射する赤外光照射部と、
該赤外光照射部が照射する赤外光が上記認証対象物で反射した反射光を像として検知する赤外光検知部とを含み、
上記可視光検知部が検知した像の第１認証マークから取得した上記第１認証情報を用いて、上記認証対象物が正当であるか否かを判定する可視光認証ステップと、
上記赤外光検知部が検知した像の第２認証マークから取得した上記第２認証情報を用いて、上記認証対象物が正当であるか否かを判定する赤外光認証ステップと、
判定の結果が全て正当である場合に、上記認証対象物が正当であると判定する判定ステップとを含むことを特徴とする認証装置の制御方法。
【発明の詳細な説明】
【技術分野】
【０００１】
本発明は、認証対象物をスキャンした画像に基づいて認証を行う認証装置及び認証装置の制御方法に関する。
【背景技術】
【０００２】
近年では、施設や設備を利用したり、サービスの提供を受けたりするときに、予め発行されたカードを認証装置に読み取らせ、認証に成功したときに、その施設等を利用可能とするシステムが広く普及している。このようなシステムでは、カードさえあれば、その施設等を利用することができるので、第三者が偽造カードを用いて不正に施設等を利用する被害も増加している。
【０００３】
このため、カードの偽造を防ぐための技術が提案されている。例えば、下記の特許文献１には、カードの所有者の顔画像に該所有者のサインのスペルを電子透かしとして埋め込んだ画像である顔写真情報をカードに印刷すると共に、該カードに上記サインのスペルを記録したＩＣチップを組み込むことが記載されている。そして、ＩＣチップから読み出したスペルと電子透かしから読み取ったスペルとが一致した場合に認証成功と判断するようにしている。
【０００４】
上記の構成によれば、視認が困難な電子透かしとして埋め込まれた情報と、ＩＣチップに記録されている情報との両方が揃わなければ認証が成功しない。つまり、このカードを偽造するためには、電子透かしとして埋め込まれた情報をコピーすると共に、ＩＣチップに記録されている情報もコピーする必要があり、カードの偽造が困難となる。
【先行技術文献】
【特許文献】
【０００５】
【特許文献１】特開２００１−１２６０４６号公報（２００１年５月１１日公開）
【発明の概要】
【発明が解決しようとする課題】
【０００６】
しかしながら、特許文献１の技術では、認証に用いるカードは、顔写真情報を印刷した上、さらにＩＣチップを埋め込んだ複雑な構成であり、その製造コストはどうしても高くなってしまう。また、該カードの認証装置は、電子透かしの読み取り用スキャナと、ＩＣチップ読み取り用のプローブとを備えている必要があり、認証装置の構成が複雑になってしまう。
【０００７】
つまり、偽造カードによる被害が増加している現状で、認証装置のセキュリティの向上は必須であるが、複数種類の認証情報を組み合わせることによって、セキュリティの向上を図った場合には、認証装置の構成が複雑になるという問題がある。
【０００８】
本発明は、上記課題に鑑みてなされたものであり、その目的は、簡易な構成で、セキュリティの高い認証を行うことができる認証装置及び認証装置の制御方法を提供することにある。
【課題を解決するための手段】
【０００９】
上記の課題を解決するために、本発明の認証装置は、面状部材を用いて、第１認証マーク及び第２認証マークを有する認証対象物の像を検知し、検知した像における第１認証マーク及び第２認証マークから、第１認証情報及び第２認証情報をそれぞれ取得して認証を行う認証装置であって、上記第１認証マークは可視光を反射するものであり、上記第２認証マークは赤外光を反射するものであり、上記面状部材は、上記認証対象物に可視光を照射する可視光照射部と、該可視光照射部が照射する可視光が上記認証対象物で反射した反射光を像として検知する可視光検知部と、上記認証対象物に赤外光を照射する赤外光照射部と、該赤外光照射部が照射する赤外光が上記認証対象物で反射した反射光を像として検知する赤外光検知部とを含み、上記可視光検知部が検知した像の第１認証マークから取得した上記第１認証情報を用いて、上記認証対象物が正当であるか否かを判定する可視光認証手段と、上記赤外光検知部が検知した像の第２認証マークから取得した上記第２認証情報を用いて、上記認証対象物が正当であるか否かを判定する第１赤外光認証手段とを備え、判定の結果が全て正当である場合に、上記認証対象物が正当であると判定することを特徴としている。
【００１０】
また、上記の課題を解決するために、本発明の認証装置の制御方法は、面状部材を用いて、第１認証マーク及び第２認証マークを有する認証対象物の像を検知し、検知した像における第１認証マーク及び第２認証マークから、第１認証情報及び第２認証情報をそれぞれ取得して認証を行う認証装置の制御方法であって、上記第１認証マークは可視光を反射するものであり、上記第２認証マークは赤外光を反射するものであり、上記面状部材は、上記認証対象物に可視光を照射する可視光照射部と、該可視光照射部が照射する可視光が上記認証対象物で反射した反射光を像として検知する可視光検知部と、上記認証対象物に赤外光を照射する赤外光照射部と、該赤外光照射部が照射する赤外光が上記認証対象物で反射した反射光を像として検知する赤外光検知部とを含み、上記可視光検知部が検知した像の第１認証マークから取得した上記第１認証情報を用いて、上記認証対象物が正当であるか否かを判定する可視光認証ステップと、上記赤外光検知部が検知した像の第２認証マークから取得した上記第２認証情報を用いて、上記認証対象物が正当であるか否かを判定する赤外光認証ステップと、判定の結果が全て正当である場合に、上記認証対象物が正当であると判定する判定ステップとを含むことを特徴としている。
【００１１】
上記の構成によれば、認証対象物に可視光を照射して検知される像には、可視光を反射する第１認証マークが含まれるので、この像から第１認証情報を取得することができる。同様に、認証対象物に赤外光を照射して検知される像には、赤外光を反射する第２認証マークが含まれるので、この像から第２認証情報を取得することができる。そして、これらの像の検知は、何れも１つの面状部材によって行われる。
【００１２】
つまり、上記の構成によれば、１つの面状部材によって認証対象物の像を検知するという簡易な構成で、認証対象物に設けられた２つの認証情報を取得することができる。そして、取得した２つの認証情報を用いて認証対象物の正否を判定することにより、セキュリティの高い認証を行うことができる。
【００１３】
また、認証対象物を製造するときには、２つの認証情報を例えば印刷等によって簡単に設けることができるので、認証対象物の製造コストも下げることができるという効果を奏する。
【００１４】
さらに、上記の構成によれば、認証対象物の正否判定に第２認証マークを用いるので、認証対象物の偽造が困難になるという利点もある。つまり、第２認証マークは、赤外光照射により検知されるものであるから、視認できないものとすることができる。そして、視認できない第２認証マークは、その存在自体が気付かれ難いので、これをコピーすることは難しく、それゆえ認証対象物を偽造することは困難となる。
【００１５】
また、上記認証装置は、上記認証対象物における上記第１認証マーク及び第２認証マークの配置を示す配置情報を格納する配置情報記憶部と、上記可視光検知部が検知した像における上記第１認証マークの配置、及び上記赤外光検知部が検知した像における上記第２認証マークの配置の両方が、上記配置情報記憶部に格納されている配置情報が示す上記第１認証マーク及び第２認証マークの配置と一致する場合に、上記認証対象物が正当であると判定する配置認証手段を備えていることが好ましい。
【００１６】
上記の構成によれば、配置情報が示す第１認証マーク及び第２認証マークの配置と、検知された像における第１認証マーク及び第２認証マークの配置との一致が、認証対象物を正当であると判定するための要件として追加されている。
【００１７】
したがって、偽造した認証対象物を用いて、上記認証装置に正当であると判定させるためには、第１認証マーク及び第２認証マークをコピーするのみならず、それらの配置についてもコピーしなければならない。ゆえに、上記の構成によれば、偽造された認証対象物を正当であると誤判定する可能性を低減し、セキュリティを高めることができる。
【００１８】
また、上記認証対象物は、赤外光の反射率が上記第２認証マークと異なる第３認証マークを有しており、上記第１赤外光認証手段は、上記赤外光検知部が検知した像において、輝度値の相違に基づき上記第２認証マークと第３認証マークとを識別して、上記第２認証マークから上記第２認証情報を取得し、上記赤外光検知部が検知した像において、輝度値の相違に基づき上記第２認証マークと第３認証マークとを識別して、上記第３認証マークから上記第３認証情報を取得し、該取得した第３認証情報を用いて、上記認証対象物が正当であるか否かを判定する第２赤外光認証手段を備えていることが好ましい。
【００１９】
上記の構成によれば、第３認証マークから取得される第３認証情報を用いた認証対象物の正否判定によって正当と判定されることが、認証対象物を正当であると判定するための要件として追加されている。
【００２０】
したがって、偽造した認証対象物を用いて、上記認証装置に正当であると判定させるためには、第１認証マーク及び第２認証マークをコピーするのみならず、第３認証マークもコピーしなければならない。また、第３認証マークは、第２認証マークと赤外光の反射率が異なるものであり、このような反射率の違いを正確に反映させたコピーを作ることは困難である。ゆえに、上記の構成によれば、認証のセキュリティを高めることができる。
【００２１】
また、上記認証装置は、上記面状部材上に予め定めた領域を示す領域情報を格納する領域情報記憶部と、上記認証対象物が、上記領域情報記憶部に格納されている領域情報が示す領域内で検知された場合に、上記認証対象物が正当であると判定する領域認証手段を備えていることが好ましい。
【００２２】
上記の構成によれば、認証対象物が所定の領域内で検知されることが、認証対象物を正当であると判定するための要件として追加されている。したがって、上記所定の領域を予め知らされていない者は、正当な認証対象物を用いた場合であっても、正当であるとの判定を受けることができない。
【００２３】
つまり、上記の構成によれば、認証対象物の所有者以外の者が認証対象物を用いたとしても、正当であるとの判定を受けることができないことになる。したがって、認証対象物を誰かに取得された場合であっても、これが悪用されることを防ぐことができる。
【００２４】
また、上記面状部材は、画像を表示する機能をさらに有し、上記面状部材上における上記認証対象物の像を検知する領域を、当該面状部材に表示する表示処理手段を備えていることが好ましい。
【００２５】
上記の構成によれば、上記認証対象物の像を検知する領域が面状部材に表示されるので、ユーザは、認証対象物を面状部材のどの領域で検知させればよいかを容易に認識することができる。
【００２６】
なお、上記認証装置は、コンピュータによって実現してもよく、この場合には、コンピュータを上記認証装置の各手段として動作させることにより、上記認証装置をコンピュータにて実現させる制御プログラム、及びそれを記録したコンピュータ読み取り可能な記録媒体も本発明の範疇に入る。
【発明の効果】
【００２７】
本発明の認証装置は、面状部材を用いて、第１認証マーク及び第２認証マークを有する認証対象物の像を検知し、検知した像における第１認証マーク及び第２認証マークから、第１認証情報及び第２認証情報をそれぞれ取得して認証を行う認証装置であって、上記第１認証マークは可視光を反射するものであり、上記第２認証マークは赤外光を反射するものであり、上記面状部材は、上記認証対象物に可視光を照射する可視光照射部と、該可視光照射部が照射する可視光が上記認証対象物で反射した反射光を像として検知する可視光検知部と、上記認証対象物に赤外光を照射する赤外光照射部と、該赤外光照射部が照射する赤外光が上記認証対象物で反射した反射光を像として検知する赤外光検知部とを含み、上記可視光検知部が検知した像の第１認証マークから取得した上記第１認証情報を用いて、上記認証対象物が正当であるか否かを判定する可視光認証手段と、上記赤外光検知部が検知した像の第２認証マークから取得した上記第２認証情報を用いて、上記認証対象物が正当であるか否かを判定する第１赤外光認証手段とを備え、判定の結果が全て正当である場合に、上記認証対象物が正当であると判定する構成である。
【００２８】
また、本発明の認証装置の制御方法は、面状部材を用いて、第１認証マーク及び第２認証マークを有する認証対象物の像を検知し、検知した像における第１認証マーク及び第２認証マークから、第１認証情報及び第２認証情報をそれぞれ取得して認証を行う認証装置の制御方法であって、上記第１認証マークは可視光を反射するものであり、上記第２認証マークは赤外光を反射するものであり、上記面状部材は、上記認証対象物に可視光を照射する可視光照射部と、該可視光照射部が照射する可視光が上記認証対象物で反射した反射光を像として検知する可視光検知部と、上記認証対象物に赤外光を照射する赤外光照射部と、該赤外光照射部が照射する赤外光が上記認証対象物で反射した反射光を像として検知する赤外光検知部とを含み、上記可視光検知部が検知した像の第１認証マークから取得した上記第１認証情報を用いて、上記認証対象物が正当であるか否かを判定する可視光認証ステップと、上記赤外光検知部が検知した像の第２認証マークから取得した上記第２認証情報を用いて、上記認証対象物が正当であるか否かを判定する赤外光認証ステップと、判定の結果が全て正当である場合に、上記認証対象物が正当であると判定する判定ステップとを含む構成である。
【００２９】
したがって、１つの面状部材によって認証対象物の像を検知するという簡易な構成で、認証対象物に担持された２つの認証情報を取得することができ、取得した２つの認証情報を用いて認証対象物の正否を判定することにより、セキュリティの高い認証を行うことができるという効果を奏する。
【図面の簡単な説明】
【００３０】
【図１】本発明の実施形態を示すものであり、認証装置の要部構成を示すブロック図である。
【図２】上記認証装置を用いた認証システムの概要を示す図である。
【図３】上記認証装置が備えるセンサ内蔵液晶パネルが認証カードをスキャンして得た画像の一例を示す模式図であり、同図（ａ）は可視光スキャンで得た画像の一例を示し、同図（ｂ）は赤外光スキャンで得た画像の一例を示している。
【図４】上記認証カードの製造方法の一例を示す図である。
【図５】上記センサ内蔵液晶パネルの構造を模式的に示す図であり、同図（ａ）はセンサ内蔵液晶パネルの断面図であり、同図（ｂ）は同図（ａ）の矢印Ａの方向から見たセンサ内蔵液晶パネルの画素の模式図である。
【図６】上記認証装置の要部構成を示すブロック図である。
【図７】可視光スキャン画像における認証カードの像の位置に基づく認証方法を説明する図である。
【図８】認証情報の検出位置に基づく認証方法を説明する図であり、同図（ａ）（ｂ）（ｃ）はそれぞれ認証情報の配置が異なる認証カードの例を示している。
【図９】上記認証装置が実行する処理の一例を示すフローチャートである。
【発明を実施するための形態】
【００３１】
以下、本発明の実施の形態について、図１から９に基づいて詳細に説明する。
【００３２】
〔認証システムの概要〕
まず、認証システムの概要について、図２に基づいて説明する。図２は認証システムの概要を示す図である。図示のように、本実施形態の認証システムは、認証カード１を認証装置１００のセンサ内蔵液晶パネル３０１で読み取ることによって、認証を行うものである。なお、認証装置１００が認証を行う対象は、必ずしも認証カード１のようにカード状である必要はなく、認証対象物の形状は任意である。
【００３３】
認証カード１には、「ｍａｒｋ Ａ」（第１認証マーク）、「ｍａｒｋ Ｂ」（第３認証マーク）、及び「ｍａｒｋ Ｃ」（第２認証マーク）の３つのマークが印刷されている。この３つのマークのうち、「ｍａｒｋ Ａ」は、可視光を反射するマーク、すなわち視認可能なマークである。一方、「ｍａｒｋ Ｃ」は、赤外光のみを反射するマークであり、このマークは視認されない。そして、「ｍａｒｋ Ｂ」は、赤外光を反射するが、「ｍａｒｋ Ｃ」よりも赤外光の反射が弱いマークであり、このマークも視認されない。なお、これらのマークの形成方法については後述する。
【００３４】
認証装置１００のセンサ内蔵液晶パネル３０１は、画像を表示する機能を有していると共に、対象物の画像検出が可能な液晶パネルである。ここで、対象物の画像検出とは、例えば、ユーザが指やペンなどでポインティング（タッチ）した位置の検出や、印刷物等の画像の読み取り（スキャン）である。なお、表示に用いるデバイスは、液晶パネルに限定されるものではなく、有機ＥＬ（Electro Luminescence）パネルなどであってもよい。
【００３５】
画像を表示するときに、センサ内蔵液晶パネル３０１から可視光が出射されるので、画像を表示したセンサ内蔵液晶パネル３０１上に認証カード１を載置してスキャン（以後、可視光スキャンと呼ぶ）した場合には、認証カード１のセンサ内蔵液晶パネル３０１と対向する面で反射した可視光が、画像として検出される。
【００３６】
また、センサ内蔵液晶パネル３０１からは、赤外光も出射されるようになっており、赤外光を出射しているセンサ内蔵液晶パネル３０１上に認証カード１を載置してスキャン（以後、赤外光スキャンと呼ぶ）した場合には、認証カード１のセンサ内蔵液晶パネル３０１と対向する面で反射した赤外光が、画像として検出される。
【００３７】
このように、センサ内蔵液晶パネル３０１は、発した可視光が認証カード１で反射した反射光を画像として検出することができると共に、発した赤外光が認証カード１で反射した反射光を画像として検出することができる。このため、可視光を反射する「ｍａｒｋ Ａ」を画像として検出することができると共に、赤外光を反射する「ｍａｒｋ Ｂ」、及び「ｍａｒｋ Ｃ」を画像として検出することができる。
【００３８】
ここで、センサ内蔵液晶パネル３０１が認証カード１をスキャンして得られる画像について、図３に基づいて説明する。図３は、センサ内蔵液晶パネル３０１が認証カード１をスキャンして得た画像の一例を示す模式図であり、同図（ａ）は可視光スキャンで得た画像の一例を示し、同図（ｂ）は赤外光スキャンで得た画像の一例を示している。
【００３９】
同図（ａ）に示すように、可視光スキャンを行った場合には、センサ内蔵液晶パネル３０１上に載置された認証カード１の像が写ると共に、可視光を反射する「ｍａｒｋ Ａ」の像が写る。一方、可視光を反射しない「ｍａｒｋ Ｂ」及び「ｍａｒｋ Ｃ」は、可視光スキャンでは写らない。
【００４０】
これに対し、同図（ｂ）に示すように、赤外光スキャンを行った場合には、センサ内蔵液晶パネル３０１上に載置された認証カード１の像が写ると共に、赤外光を反射する「ｍａｒｋ Ｂ」及び「ｍａｒｋ Ｃ」の像が写り、赤外光を反射しない「ｍａｒｋ Ａ」の像は写らない。また、「ｍａｒｋ Ｂ」は「ｍａｒｋ Ｃ」よりも赤外光の反射が弱いので、「ｍａｒｋ Ｂ」は「ｍａｒｋ Ｃ」よりも写る像が薄くなる（像の輝度が低くなる）。
【００４１】
認証装置１００は、図３（ａ）（ｂ）に示したような可視光スキャン画像と、赤外光スキャン画像とを用いて、認証カード１の「ｍａｒｋ Ａ」、「ｍａｒｋ Ｂ」、及び「ｍａｒｋ Ｃ」を読み取る。そして、読み取った結果と予め格納している登録情報とを照合し、両者が一致した場合に認証成功と判断する。
【００４２】
このように、認証装置１００では、１つのセンサ内蔵液晶パネル３０１によって、視認可能な「ｍａｒｋ Ａ」、視認できない「ｍａｒｋ Ｃ」、及び同じく視認できず「ｍａｒｋ Ｃ」とは赤外光の反射強度が異なる「ｍａｒｋ Ｂ」を全て検出することができる。また、センサ内蔵液晶パネル３０１には、画像も表示されるようになっている。
【００４３】
したがって、認証装置１００によれば、非常にコンパクトな構成で、視認可能な「ｍａｒｋ Ａ」による認証と、視認できない「ｍａｒｋ Ｃ」による認証と、同じく視認できず「ｍａｒｋ Ｃ」とは赤外光の反射強度が異なる「ｍａｒｋ Ｂ」による認証とを組み合わせたセキュリティの高い認証を行うことができる。
【００４４】
また、認証カード１には、視認できず、赤外線の反射率が異なる「ｍａｒｋ Ｂ」及び「ｍａｒｋ Ｃ」が含まれているので、偽造が困難となっており、認証システムのセキュリティを堅牢なものとしている。
【００４５】
さらに、以下で説明するように、認証カード１は印刷によって製造することも可能であり、ＩＣチップを用いた認証カードと比べて製造コスト面で有利である。
【００４６】
また、ＩＣチップよりも水や折り曲げ等に強く、磁気カードのように強い磁気にあてることでデータが失われることもない。このように、認証カード１は、従来の認証カードと比べて壊れにくいという利点も有している。
【００４７】
〔認証カード１の製造方法の例〕
ここで、「ｍａｒｋ Ａ」、「ｍａｒｋ Ｂ」、及び「ｍａｒｋ Ｃ」の３つのマークを有する認証カード１の製造方法について、図４に基づいて説明する。図４は、認証カード１の製造方法の一例を示す図である。
【００４８】
図示のように、ＩＲフィルタ１０には「ｍａｒｋ Ａ」が印刷されており、カード基材２０には「ｍａｒｋ Ｂ」及び「ｍａｒｋ Ｃ」が印刷されている。なお、「ｍａｒｋ Ａ」、「ｍａｒｋ Ｂ」、「ｍａｒｋ Ｃ」からは、認証に必要な情報（第１認証情報、第３認証情報、第２認証情報）が取得できるようになっている。これらのマークは、例えばＱＲコード（登録商標）とすることもできる。
【００４９】
そして、ＩＲフィルタ１０の「ｍａｒｋ Ａ」が印刷されていない面と、カード基材２０の「ｍａｒｋ Ｂ」及び「ｍａｒｋ Ｃ」が印刷された面とを接着することによって認証カード１は製造される。
【００５０】
これにより、「ｍａｒｋ Ａ」は、認証カード１の表面に露出する状態となり、「ｍａｒｋ Ｂ」及び「ｍａｒｋ Ｃ」は、ＩＲフィルタ１０とカード基材２０とで挟み込まれる状態となる。
【００５１】
ここで、ＩＲフィルタ１０は、赤外光を通すが可視光を通さない素材よりなる。したがって、ＩＲフィルタ１０とカード基材２０とで挟み込まれる「ｍａｒｋ Ｂ」及び「ｍａｒｋ Ｃ」には、赤外光のみが到達することになる。
【００５２】
カード基材２０は、一般的な認証カードと同様に樹脂等で形成することが、製造コスト、耐用年数等の観点から望ましい。しかしながら、カード基材２０の素材は、特に限定されず、任意のものを適用することができる。
【００５３】
「ｍａｒｋ Ａ」は、可視光を反射する一般的なインクを用いて印刷する。これに対し、「ｍａｒｋ Ｃ」は、赤外光を反射するインク（例えばノンカーボンインク等）で印刷する。また、「ｍａｒｋ Ｂ」は、「ｍａｒｋ Ｃ」よりも赤外光の反射が弱いインクで印刷する。これにより、ＩＲフィルタ１０を通過した赤外光が、「ｍａｒｋ Ｂ」及び「ｍａｒｋ Ｃ」で反射して、認証カード１の外部に放射されることになる。
【００５４】
なお、認証カード１の製造方法は、上記の例に限られず、カード上に赤外光を反射するマークと、可視光を反射するマークとが形成される方法であれば、任意の方法を適用することができる。例えば、赤外線を吸収するインク（例えばステルスインク、不可視インク等）と赤外線を反射するインク（例えばノンカーボンインク等）とを重ね合わせて印刷することで、認証カード１を製造することもできる。
【００５５】
〔センサ内蔵液晶パネル３０１の構造〕
次に、センサ内蔵液晶パネル３０１の構造について、図５に基づいて説明する。図５は、センサ内蔵液晶パネル３０１の構造を模式的に示す図であり、同図（ａ）はセンサ内蔵液晶パネル３０１の断面図であり、同図（ｂ）は同図（ａ）の矢印Ａの方向から見たセンサ内蔵液晶パネル３０１の画素の模式図である。また、同図では、センサ内蔵液晶パネル３０１にて認証カード１のマークを読み取る様子を併せて示している。
【００５６】
同図（ａ）に示すように、センサ内蔵液晶パネル３０１は、背面側に配置されるアクティブマトリクス基板５３と、表面側に配置される対向基板５１とを備え、これら基板の間に液晶層５２を挟持した構造を有している。
【００５７】
アクティブマトリクス基板５３には、画素電極、データ信号線、光センサ回路、配向膜、偏光板などが設けられる。対向基板５１には、Ｒ（赤）、Ｇ（緑）、Ｂ（青）の３色のカラーフィルタ、遮光膜、対向電極、配向膜、偏光板などが設けられる。また、センサ内蔵液晶パネル３０１の背面には、バックライト（可視光照射部）３０７及び赤外光ライト（赤外光照射部）３１０が設けられている。
【００５８】
このような構成のセンサ内蔵液晶パネル３０１の各画素を、同図（ａ）の矢印Ａの方向から見ると、同図（ｂ）のようになっている。図示のように、センサ内蔵液晶パネル３０１の各画素には、赤色カラーフィルタ６１ｒ、緑色カラーフィルタ６１ｇ、及び青色カラーフィルタ６１ｂが設けられている。また、各画素には、可視光センサ（可視光検知部）６２及び赤外光センサ（赤外光検知部）６３が設けられている。
【００５９】
これにより、センサ内蔵液晶パネル３０１に入射する可視光及び赤外光を像として検出することができる。なお、可視光センサ６２及び赤外光センサ６３は、光センサ回路に含まれている。つまり、可視光センサ６２及び赤外光センサ６３は、アクティブマトリクス基板５３（カラーフィルタよりも背面側）に配置される。
【００６０】
また、同図では、説明の便宜上、カラーフィルタが可視光センサ６２及び赤外光センサ６３を覆わないように記載しているが、可視光センサ６２及び赤外光センサ６３は、カラーフィルタで覆われていてもよい。つまり、可視光センサ６２及び赤外光センサ６３が、カラーフィルタを通過した光を受けるようになっていてもよい。
【００６１】
ここで、バックライト３０７から可視光が出射されると、照射された可視光はＩＲフィルタ１０の表面に印刷されている「ｍａｒｋ Ａ」で反射して、この反射光を可視光センサ６２が検知する。これに対し、ＩＲフィルタ１０が赤外光を通さないことにより、「ｍａｒｋ Ｂ」及び「ｍａｒｋ Ｃ」には可視光が到達しない。
【００６２】
一方、赤外光ライト３１０から赤外光が出射されると、照射された可視光はＩＲフィルタ１０を通過して、赤外光を反射する「ｍａｒｋ Ｂ」及び「ｍａｒｋ Ｃ」で反射して、この反射光を赤外光センサ６３が検知する。なお、「ｍａｒｋ Ｂ」からの反射光は、「ｍａｒｋ Ｃ」からの反射光よりも弱い。そして、「ｍａｒｋ Ａ」は赤外光を反射しない。
【００６３】
なお、認証装置１００による認証は、図示のように認証カード１をセンサ内蔵液晶パネル３０１にかざすことによって行うこともできるし、認証カード１をセンサ内蔵液晶パネル３０１上に載置することによって行うこともできる。
【００６４】
〔認証装置１００の要部構成〕
次に、図６を参照しながら、認証装置１００の要部構成について説明する。図６は、認証装置１００の要部構成を示すブロック図である。図示のように、認証装置１００は、表示／光センサ部（面状部材）３００、回路制御部６００、データ処理部７００、主制御部８００、記憶部９０１、一次記憶部９０２、操作部９０３、外部通信部９０７、音声出力部９０８、及び音声入力部９０９を備えている。
【００６５】
表示／光センサ部３００は、いわゆる光センサ内蔵液晶表示装置である。表示／光センサ部３００は、センサ内蔵液晶パネル３０１、バックライト３０７、赤外光ライト３１０、それらを駆動するための周辺回路３０９を含んで構成される。
【００６６】
センサ内蔵液晶パネル３０１は、マトリクス状に配置された複数の画素回路３１、光センサ回路３２、及び赤外光センサ回路３４を含んで構成される。
【００６７】
周辺回路３０９は、液晶パネル駆動回路３０４、可視光センサ駆動回路３０５、赤外光センサ駆動回路３０２、信号変換回路３０６、バックライト駆動回路３０８、赤外光ライト駆動回路３０３を含む。
【００６８】
液晶パネル駆動回路３０４は、回路制御部６００の表示制御部６０１からのタイミング制御信号及びデータ信号に従って、制御信号及びデータ信号を出力し、画素回路３１を駆動する回路である。
【００６９】
可視光センサ駆動回路３０５は、回路制御部６００のセンサ制御部６０２からのタイミング制御信号に従って、信号線に電圧を印加し、光センサ回路３２を駆動する回路である。また、赤外光センサ駆動回路３０２は、可視光センサ駆動回路３０５と同様、回路制御部６００のセンサ制御部６０２からのタイミング制御信号に従って、信号線に電圧を印加し、赤外光センサ回路３４を駆動する回路である。
【００７０】
信号変換回路３０６は、光センサ回路３２及び赤外光センサ回路３４から出力されるセンサ出力信号をデジタル信号に変換し、該変換後の信号をセンサ制御部６０２に送信する回路である。
【００７１】
バックライト３０７は、複数の白色ＬＥＤ（Light Emitting Diode）を含んでおり、センサ内蔵液晶パネル３０１の背面に配置される。そして、バックライト駆動回路３０８から電源電圧が印加されると、バックライト３０７は点灯し、センサ内蔵液晶パネル３０１に光を照射する。なお、バックライト３０７は、白色ＬＥＤに限らず、他の色のＬＥＤを含んでいてもよい。また、バックライト３０７は、ＬＥＤに代えて、例えば、冷陰極管（ＣＣＦＬ：Cold Cathode Fluorescent Lamp）を含むものであってもよい。
【００７２】
赤外光ライト３１０は、赤外光ライト駆動回路３０３から電圧が印加されることによって、赤外光を照射するものである。
【００７３】
赤外光ライト駆動回路３０３は、回路制御部６００の赤外光ライト制御部６０５からの制御信号がハイレベルであるときは、赤外光ライト３１０に電源電圧を印加し、逆に、赤外光ライト制御部６０５からの制御信号がローレベルであるときは、赤外光ライト３１０に電源電圧を印加しない。
【００７４】
同様に、バックライト駆動回路３０８は、回路制御部６００のバックライト制御部６０３からの制御信号がハイレベルであるときは、バックライト３０７に電源電圧を印加し、逆に、バックライト制御部６０３からの制御信号がローレベルであるときは、バックライト３０７に電源電圧を印加しない。
【００７５】
次に、回路制御部６００について説明する。回路制御部６００は、表示／光センサ部３００の周辺回路３０９を制御するデバイスドライバとしての機能を備えるものである。回路制御部６００は、表示制御部６０１、センサ制御部６０２、バックライト制御部６０３、表示データ記憶部６０４、及び赤外光ライト制御部６０５を備えている。
【００７６】
表示制御部６０１は、データ処理部７００の表示データ処理部７０１から表示データを受信するとともに、表示データ処理部７０１からの指示に従って、表示／光センサ部３００の液晶パネル駆動回路３０４に、タイミング制御信号及びデータ信号を送信し、上記受信した表示データをセンサ内蔵液晶パネル３０１に表示させる。
【００７７】
なお、表示制御部６０１は、表示データ処理部７０１から受信した表示データを、表示データ記憶部６０４に一次記憶させる。そして、当該一次記憶させた表示データに基づいて、データ信号を生成する。表示データ記憶部６０４は、例えば、ＶＲＡＭ（video random access memory）などである。
【００７８】
センサ制御部６０２は、データ処理部７００のセンサデータ処理部７０３からの指示に従って、表示／光センサ部３００の可視光センサ駆動回路３０５及び／または赤外光センサ駆動回路３０２に、タイミング制御信号を送信し、センサ内蔵液晶パネル３０１にてスキャンを実行させる。
【００７９】
また、センサ制御部６０２は、信号変換回路３０６からデジタル信号を受信する。そして、センサ内蔵液晶パネル３０１に含まれる全ての光センサ回路３２または赤外光センサ回路３４から出力されたセンサ出力信号に対応するデジタル信号に基づいて、画像データを生成する。つまり、センサ内蔵液晶パネル３０１の読み取り領域全体で読み取った画像データを生成する。そして、該生成した画像データをセンサデータ処理部７０３に送信する。
【００８０】
バックライト制御部６０３は、表示データ処理部７０１及びセンサデータ処理部７０３からの指示に従って、表示／光センサ部３００のバックライト駆動回路３０８に制御信号を送信し、バックライト３０７を駆動させる。
【００８１】
同様に、赤外光ライト制御部６０５は、表示データ処理部７０１及びセンサデータ処理部７０３からの指示に従って、表示／光センサ部３００の赤外光ライト駆動回路３０３に制御信号を送信し、赤外光ライト３１０を駆動させる。
【００８２】
次に、データ処理部７００について説明する。データ処理部７００は、主制御部８００から受信する命令に基づいて、回路制御部６００に指示を与えるミドルウェアとしての機能を備えるものである。
【００８３】
データ処理部７００は、表示データ処理部７０１及びセンサデータ処理部７０３を備えている。そして、データ処理部７００が、主制御部８００から受信する命令に応じて、表示データ処理部７０１及びセンサデータ処理部７０３の少なくとも一方を動作させる。
【００８４】
表示データ処理部７０１は、主制御部８００から表示データを受信するとともに、データ処理部７００が受信した命令に従って、表示制御部６０１、バックライト制御部６０３に指示を与え、上記受信した表示データをセンサ内蔵液晶パネル３０１に表示させる。
【００８５】
センサデータ処理部７０３は、データ処理部７００が受信した命令に従って、センサ制御部６０２及びバックライト制御部６０３に指示を与える。また、センサデータ処理部７０３は、センサ制御部６０２から画像データを受信し、当該画像データをそのまま画像データバッファ７０４に格納する。そして、センサデータ処理部７０３は、データ処理部７００が受信した命令に従って、画像データバッファ７０４に記憶されている画像データを主制御部８００に送信する。
【００８６】
次に、主制御部８００は、アプリケーションプログラムを実行するものである。主制御部８００は、記憶部９０１に格納されているプログラムを、例えばＲＡＭ（Random Access Memory）等で構成される一次記憶部９０２に読み出して実行する。
【００８７】
主制御部８００で実行されるアプリケーションプログラムは、センサ内蔵液晶パネル３０１に表示データを表示させたり、センサ内蔵液晶パネル３０１にて対象物のスキャンを行わせたりするために、データ処理部７００に対して、命令及び表示データを送信する。また、スキャンを行わせたときには、センサ内蔵液晶パネル３０１からスキャン結果である画像を受信する。
【００８８】
なお、回路制御部６００、データ処理部７００、及び主制御部８００は、それぞれ、ＣＰＵ（Central Processing Unit）及びメモリ等で構成することができる。また、データ処理部７００は、ＡＳＩＣ（application specific integrate circuit）などの回路で構成されていてもよい。
【００８９】
次に、記憶部９０１は、図示のように、主制御部８００が実行するプログラム及びデータを格納するものである。なお、主制御部８００が実行するプログラムは、アプリケーション固有のプログラムと、各アプリケーションが共用可能な汎用プログラムとに分離されていてもよい。
【００９０】
次に、操作部９０３は、認証装置１００のユーザの入力操作を受けつけるものである。操作部９０３は、例えば、スイッチ、リモコン、マウス、キーボードなどの入力デバイスで構成される。そして、操作部９０３は、認証装置１００のユーザの入力操作に応じた制御信号を生成し、該生成した制御信号を主制御部８００へ送信する。
【００９１】
なお、上記スイッチの例としては、電源のオンとオフとを切り替える電源スイッチ９０５、予め所定の機能が割り当てられているユーザスイッチ９０６などのハードウェアスイッチを想定している。
【００９２】
その他、認証装置１００は、無線／有線通信によって外部装置と通信を行うための外部通信部９０７、音声を出力するためのスピーカ等の音声出力部９０８、音声信号を入力するためのマイク等の音声入力部９０９などを適宜備えていてもよい。
【００９３】
〔認証装置１００のより詳細な構成〕
続いて、認証装置１００のより詳細な構成、特に主制御部８００及び記憶部９０１の詳細な構成について、図１に基づいて説明する。図１は、認証装置１００の要部構成を示すブロック図である。
【００９４】
図示のように、主制御部８００には、スキャン処理部１１、認証部１２、及び表示処理部（表示処理手段）１３が含まれている。また、記憶部９０１には、スキャン画像格納部４１、認証情報格納部（配置情報記憶部、領域情報記憶部）４２、及び表示情報格納部４３が含まれている。
【００９５】
スキャン処理部１１は、センサ内蔵液晶パネル３０１に定期的にスキャンを行わせることによって、センサ内蔵液晶パネル３０１上に認証カード１が載置されたことを検知する。そして、スキャン処理部１１は、センサ内蔵液晶パネル３０１上に認証カード１が載置されたことを検知したときには、認証カード１が載置された状態でスキャンした画像（可視光スキャン画像）を、センサ内蔵液晶パネル３０１からデータ処理部７００を介して受信し、スキャン画像格納部４１に格納する。また、その旨を認証部１２に通知する。
【００９６】
また、スキャン処理部１１は、認証部１２からの指示を受けて、センサ内蔵液晶パネル３０１に赤外光スキャンを行わせ、これにより取得された画像（赤外光スキャン画像）を、センサ内蔵液晶パネル３０１からデータ処理部７００を介して受信し、スキャン画像格納部４１に格納する。また、その旨を認証部１２に通知する。
【００９７】
認証部１２は、スキャン画像格納部４１に格納される、認証カード１の可視光スキャン画像と赤外光スキャン画像とを用いて、当該認証カード１及びそのユーザが正当なものであるか否かを判定する。この機能は認証部１２に含まれるスキャン位置認証部（領域認証手段）２１、可視光画像認証部（可視光認証手段）２２、第１赤外画像認証部（第１赤外光認証認証手段）２３、第２赤外画像認証部（第２赤外光認証認証手段）２４、及びマーク位置認証部（配置認証手段）２５によって実現される。
【００９８】
スキャン位置認証部２１は、可視光スキャン画像における、認証カード１の像の位置に基づいて、認証カード１のユーザの正当性を確認する。これについて、図７に基づいて説明する。図７は、可視光スキャン画像における認証カード１の像の位置に基づく認証方法を説明する図である。
【００９９】
図示のように、センサ内蔵液晶パネル３０１の表示面は、認証カード１よりも広くなっている。このため、認証カード１のユーザは、認証カード１をセンサ内蔵液晶パネル３０１の表示面上の様々な位置に載置することが可能である。例えば、図示の例では、表示面の左下隅に載置しているが、右下隅や左上隅等に載置することも可能である。
【０１００】
ここで、スキャン位置認証部２１は、認証カード１が予め定めたスキャン領域内で検知されたか否かに応じて、認証カード１の正否（正確には認証カード１のユーザの正否）を判定する。つまり、スキャン位置認証部２１は、上記スキャン領域内で認証カード１が検知されたときには、認証成功と判定し、上記スキャン領域外で検知されたときには認証失敗と判定する。
【０１０１】
これにより、認証カード１の載置位置を知らない者は、認証カード１を用いたとしても認証に成功しないことになる。したがって、認証カード１盗用を防ぐことができる。なお、認証カード１のユーザには、認証カード１の発行時等に、予め認証カード１の載置位置（上記スキャン領域の表示面上における位置）を通知しておけばよい。
【０１０２】
可視光画像認証部２２は、可視光スキャン画像から認証情報を取得して、該取得した認証情報と、認証情報格納部４２に格納されている登録情報と照合する。例えば、認証カード１の認証を行う場合には、可視光画像認証部２２が取得する認証情報は「ｍａｒｋ Ａ」ということになる。そして、可視光画像認証部２２は、両者が一致したときには認証成功と判断し、その旨を第１赤外画像認証部２３に通知する。また、不一致のときには認証失敗と判断する。なお、認証カード１が裏返しに載置された場合や、認証カード１以外のものが載置された場合等のように、可視光スキャン画像から認証情報が検出されない場合にも、可視光画像認証部２２は、認証失敗と判断する。
【０１０３】
第１赤外画像認証部２３は、可視光画像認証部２２が認証成功したときに、赤外光スキャン画像から認証情報を取得する。ここで取得する認証情報は、赤外光スキャン画像において、輝度値が所定の閾値を超えているものである。例えば、認証カード１の認証を行う場合には、第１赤外画像認証部２３が取得する認証情報は「ｍａｒｋ Ｃ」ということになる。そして、第１赤外画像認証部２３は、上記取得した認証情報と、認証情報格納部４２に格納されている登録情報と照合し、両者が一致したときには認証成功と判断し、その旨を第２赤外画像認証部２４に通知する。また、不一致のときには認証失敗と判断する。
【０１０４】
第２赤外画像認証部２４は、第１赤外画像認証部２３が認証成功したときに、赤外光スキャン画像から認証情報を取得して、該取得した認証情報と、認証情報格納部４２に格納されている登録情報と照合する。ここで取得する認証情報は、赤外光スキャン画像において、輝度値が所定の閾値以下のものである。例えば、認証カード１の認証を行う場合には、第２赤外画像認証部２４が取得する認証情報は「ｍａｒｋ Ｂ」ということになる。そして、第２赤外画像認証部２４は、両者が一致したときには認証成功と判断し、その旨をマーク位置認証部２５に通知する。また、不一致のときには認証失敗と判断する。
【０１０５】
マーク位置認証部２５は、可視光スキャン画像及び赤外光スキャン画像のそれぞれで検出された認証情報の検出位置に基づいて認証を行う。これについて、図８に基づいて説明する。図８は、認証情報の検出位置に基づく認証方法を説明する図であり、同図（ａ）（ｂ）（ｃ）はそれぞれ認証情報の配置が異なる認証カードの例を示している。
【０１０６】
同図（ａ）に示す認証カード１では、「ｍａｒｋ Ａ」、「ｍａｒｋ Ｂ」、「ｍａｒｋ Ｃ」の３つの認証情報が右から順にほぼ一直線上に配置されている。これに対し、同図（ｂ）に示す認証カード１’では、「ｍａｒｋ Ｃ」、「ｍａｒｋ Ａ」、「ｍａｒｋ Ｂ」の順に配置されている。また、同図（Ｃ）に示す認証カード１”では、「ｍａｒｋ Ａ」、「ｍａｒｋ Ｂ」、「ｍａｒｋ Ｃ」が右から順に配置されているが、マークが一直線上には並んでいない。
【０１０７】
マーク位置認証部２５は、このようなマーク（認証情報）の配置の相違を識別し、マークの配置が正しくない認証カードについては認証失敗と判断する。例えば、これら３つの認証カードのうち、認証カード１が真正品である場合には、マーク位置認証部２５は、認証カード１’及び認証カード１”には認証カード１と同じマークが記載されているにもかかわらず、これらの認証カードについては認証失敗と判断する。
【０１０８】
具体的には、マーク位置認証部２５は、認証情報の正しい配置を示すパターンの情報を認証情報格納部４２から読み出し、読み出したパターンの情報と、可視光スキャン画像及び赤外光スキャン画像とを用いて、認証の成否を判断する。なお、パターンの情報は、画像であってもよく、この場合には、可視光用パターンの情報と可視光スキャン画像、及び赤外光用パターンの情報と赤外光スキャン画像とでパターンマッチングを行うことで、認証の成否が判断される。無論、認証情報の配置が正しいか否かを判断する方法はこの例に限られない。
【０１０９】
表示処理部１３は、認証装置１００の動作状態に応じた画像を表示情報格納部４３から読み出して、センサ内蔵液晶パネル３０１に表示させる。例えば、表示処理部１３は、認証の待ち受け中には、「認証カードを画面上に置いて下さい」のようなメッセージを表示して、認証開始を促す。なお、表示処理部１３は、スキャン画像格納部４１からスキャン画像を読み出して、認証カード１等が載置されている領域と、何も載置されていない領域とを特定し、何も載置されていない領域に上記のような表示を行う。これにより、表示した内容をユーザに確実に認識させることができる。
【０１１０】
スキャン画像格納部４１には、スキャン処理部１１が受信したスキャン画像が格納される。上述のように、このスキャン画像には、可視光スキャン画像と赤外光スキャン画像とが含まれる。
【０１１１】
認証情報格納部４２には、上記スキャン画像を用いて認証を行うための情報が格納される。具体的には、下記の表１に示すように、「スキャン領域」、「可視光マーク」、「赤外光マーク（強）」、「赤外光マーク（弱）」、及び「パターン」が含まれる。そして、これらの情報は、ユーザ毎に予め登録されている。
【０１１２】
【表１】
2011059794.tif 000003
【０１１３】
「スキャン領域」には、スキャン位置認証部２１が認証カード１の載置位置で認証を行うときに用いる情報が格納されている。表１の例では、「スキャン領域」として、可視光スキャン画像における座標の範囲を示す情報が格納されている。つまり、スキャン位置認証部２１は、この座標の範囲内に認証カード１の像が含まれている場合には認証成功と判断し、認証カード１の像が範囲外に出ている場合には認証失敗と判断する。
【０１１４】
「可視光マーク」には、可視光画像認証部２２が可視光スキャン画像から読み取った認証情報を用いた認証を行うための情報が格納されている。すなわち、可視光画像認証部２２は、可視光スキャン画像から読み取った認証情報（「ｍａｒｋ Ａ」）と、「可視光マーク」に格納されている情報とが一致した場合に認証成功と判断し、不一致の場合に認証失敗と判断する。
【０１１５】
表１の例では、ユーザ１の「可視光マーク」として、「Code1」が格納されているので、「ｍａｒｋ Ａ」が「Code1」を示すマークである場合には認証成功と判断する。また、ユーザ２の「可視光マーク」として、「Code2」が格納されているので、「ｍａｒｋ Ａ」が「Code2」を示すマークである場合にも認証成功と判断する。一方、どのユーザの「可視光マーク」とも一致しない場合には認証失敗と判断する。
【０１１６】
「赤外光マーク（強）」には、第１赤外画像認証部２３が赤外光スキャン画像から読み取った認証情報を用いた認証を行うための情報が格納されている。すなわち、第１赤外画像認証部２３は、赤外光スキャン画像から読み取った認証情報（「ｍａｒｋ Ｃ」）と、「赤外光マーク（強）」に格納されている情報とが一致した場合に認証成功と判断し、不一致の場合に認証失敗と判断する。
【０１１７】
なお、詳細については後述するが、「赤外光マーク（強）」による認証は、「可視光マーク」による認証の後で行われる。このため、「赤外光マーク（強）」による認証を行うときには、認証対象のユーザが特定されている。つまり、「可視光マーク」による認証において「Code1」で認証成功した場合には「ユーザ１」が特定され、「Code2」で認証成功した場合には「ユーザ２」が特定される。そして、「赤外光マーク（強）」による認証では、ユーザに応じた認証を行う。
【０１１８】
すなわち、「可視光マーク」の認証によりユーザ１が特定されていた場合には、「ｍａｒｋ Ｃ」が「Code3」を示すマークであるときに認証成功と判断し、ユーザ２が特定されていた場合には、「ｍａｒｋ Ｃ」が「Code4」を示すマークであるときに認証成功と判断する。
【０１１９】
「赤外光マーク（弱）」には、第２赤外画像認証部２４が赤外光スキャン画像から読み取った認証情報を用いた認証を行うための情報が格納されている。すなわち、第２赤外画像認証部２４は、赤外光スキャン画像から読み取った認証情報（「ｍａｒｋ Ｂ」）と、「赤外光マーク（弱）」に格納されている情報とが一致した場合に認証成功と判断し、不一致の場合に認証失敗と判断する。「赤外光マーク（弱）」による認証でも、ユーザに応じた認証を行う。
【０１２０】
「パターン」には、マーク位置認証部２５が認証情報の配置で認証を行うための情報が格納されている。表１の例では、ユーザ１の「パターン」として、可視光スキャン画像を用いてパターンマッチングを行うときに用いる「Image 1」と、赤外光スキャン画像を用いてパターンマッチングを行うときに用いる「Image 2（IR）」とが格納されている。また、ユーザ２の「パターン」として、可視光スキャン画像を用いてパターンマッチングを行うときに用いる「Image 3」と、赤外光スキャン画像を用いてパターンマッチングを行うときに用いる「Image 4（IR）」とが格納されている。
【０１２１】
すなわち、マーク位置認証部２５は、ユーザ１の認証を行うときには、可視光スキャン画像における認証カード１の像が「Image 1」と一致し、かつ赤外光スキャン画像における認証カード１の像が「Image 2（IR）」と一致した場合に、認証成功と判断する。また、ユーザ２の認証を行うときには、可視光スキャン画像における認証カード１の像が「Image 3」と一致し、かつ赤外光スキャン画像における認証カード１の像が「Image 4（IR）」と一致した場合に、認証成功と判断する。
【０１２２】
表示情報格納部４３には、表示処理部１３がセンサ内蔵液晶パネル３０１に表示させる画像のデータが格納される。例えば、認証待ち受け状態における表示画面、認証失敗時、認証成功時の表示画面等の画像データが格納される。
【０１２３】
〔処理の流れ〕
次に、認証装置１００が実行する処理の流れについて、図９に基づいて説明する。図９は、認証装置１００が実行する処理の一例を示すフローチャートである。なお、ここでは、認証装置１００が、可視光を反射する「ｍａｒｋ Ａ」、赤外光を反射する「ｍａｒｋ Ｂ」及び「ｍａｒｋ Ｃ」が印刷された認証カード１の認証を行う例について説明する。
【０１２４】
まず、スキャン処理部１１は、センサ内蔵液晶パネル３０１が認証カード１を検出したか否かを確認する（Ｓ１）。なお、スキャン処理部１１は、可視光スキャンを行って得られた画像に変化が生じた場合に、認証カード１を検出したと判断する。
【０１２５】
ここで、認証カード１の検出が確認されなかった場合（Ｓ１でＮＯ）には、スキャン処理部１１は、一定時間後に認証カード１の検出を再確認する。つまり、認証カード１の検出確認は、認証カード１が検出されるまでの間、一定時間ごとに継続して行われる。
【０１２６】
一方、認証カード１の検出が確認された場合（Ｓ１でＹＥＳ）には、スキャン処理部１１は、認証カード１が検出されたときのスキャン画像（可視光スキャン画像）をデータ処理部７００に要求し、これを受信する。そして、スキャン処理部１１は、受信した画像をスキャン画像格納部４１に格納し、その旨を認証部１２に通知する。
【０１２７】
通知を受けた認証部１２では、スキャン位置認証部２１が、スキャン画像格納部４１から当該可視光スキャン画像を読み出すと共に、認証情報格納部４２から「スキャン領域」の情報（表１参照）を読み出す。そして、スキャン位置認証部２１は、上記読み出した可視光スキャン画像における認証カード１の像の位置が、「スキャン領域」に含まれているか否かを確認する（Ｓ２）。
【０１２８】
ここで、「スキャン領域」外に認証カード１の像が存在することが確認された場合（Ｓ２でＮＯ）には、スキャン位置認証部２１は、認証失敗と判断してＳ１２の処理に進む。Ｓ１２では、スキャン位置認証部２１は、表示処理部１３に指示して、認証に失敗した旨をセンサ内蔵液晶パネル３０１に表示させ、この後処理はＳ１に戻る。
【０１２９】
一方、「スキャン領域」内に認証カード１の像が存在することが確認された場合（Ｓ２でＹＥＳ）には、スキャン位置認証部２１は、可視光画像認証部２２にその旨を通知する。通知を受けた可視光画像認証部２２は、スキャン画像格納部４１から当該可視光スキャン画像を読み出し、読み出した可視光スキャン画像から「ｍａｒｋ Ａ」を検出する。
【０１３０】
そして、可視光画像認証部２２は、検出した「ｍａｒｋ Ａ」を用いて認証を行い（Ｓ３）、認証の成否を確認する（Ｓ４）。具体的には、可視光画像認証部２２は、認証情報格納部４２の「可視光マーク」の情報を参照し、「ｍａｒｋ Ａ」が示す情報と一致するものがあれば認証成功と判断し、また、一致した「可視光マーク」に対応するユーザを認証対象のユーザとして特定する。一方、一致するものがなければ認証失敗と判断する。
【０１３１】
Ｓ４において、認証失敗と判断した場合（Ｓ４でＮＯ）には、可視光画像認証部２２は、Ｓ１２の処理に進む。一方、認証成功と判断した場合（Ｓ４でＹＥＳ）には、可視光画像認証部２２は、上記特定した認証対象のユーザを第１赤外画像認証部２３に通知する。
【０１３２】
通知を受けた第１赤外画像認証部２３は、スキャン処理部１１に指示して赤外光スキャンを行わせる。指示を受けたスキャン処理部１１は、センサ内蔵液晶パネル３０１に赤外光スキャンを行わせて取得した赤外光スキャン画像をスキャン画像格納部４１に格納し、その旨を第１赤外画像認証部２３に通知する。
【０１３３】
次に、第１赤外画像認証部２３は、スキャン画像格納部４１から上記赤外光スキャン画像を読み出す。ここで、読み出した赤外光スキャン画像には、「ｍａｒｋ Ｂ」及び「ｍａｒｋ Ｃ」が含まれているが、第１赤外画像認証部２３は、赤外光の反射の弱い「ｍａｒｋ Ｂ」は無視して、赤外光の反射が強い「ｍａｒｋ Ｃ」を検出する。なお、第１赤外画像認証部２３は、赤外光スキャン画像において輝度値が所定の閾値を超えた領域のみをマークの読み出し対象とすることによって、「ｍａｒｋ Ｃ」のみを検出する。
【０１３４】
そして、第１赤外画像認証部２３は、検出した「ｍａｒｋ Ｃ」を用いて認証を行い（Ｓ５）、認証の成否を確認する（Ｓ６）。具体的には、第１赤外画像認証部２３は、認証情報格納部４２を参照して、「可視光マーク」で特定したユーザの「赤外光マーク（強）」の情報を確認する。そして、「ｍａｒｋ Ｃ」が示す情報と一致すれば認証成功と判断し、一致しなければ認証失敗と判断する。例えば、表１の例で「ｍａｒｋ Ａ」によりユーザ１が特定されていた場合には、「ｍａｒｋ Ｂ」の示す情報とユーザ１の「赤外光マーク（強）」である「Code3」とが一致すれば認証成功と判断され、一致しなければ認証失敗と判断される。
【０１３５】
Ｓ６において、認証失敗と判断した場合（Ｓ６でＮＯ）には、第１赤外画像認証部２３は、Ｓ１２の処理に進む。一方、認証成功と判断した場合（Ｓ６でＹＥＳ）には、第１赤外画像認証部２３は、その旨を第２赤外画像認証部２４に通知する。
【０１３６】
通知を受けた第２赤外画像認証部２４は、スキャン画像格納部４１から上記赤外光スキャン画像を読み出す。ここで、読み出した赤外光スキャン画像には、「ｍａｒｋ Ｂ」及び「ｍａｒｋ Ｃ」が含まれているが、第２赤外画像認証部２４は、赤外光の反射の強い「ｍａｒｋ Ｃ」は無視して、赤外光の反射が弱い「ｍａｒｋ Ｂ」を検出する。なお、第２赤外画像認証部２４は、スキャン画像において輝度値が所定の閾値以下の領域のみをマークの読み出し対象とすることによって、「ｍａｒｋ Ｂ」のみを検出する。
【０１３７】
そして、第２赤外画像認証部２４は、検出した「ｍａｒｋ Ｂ」を用いて認証を行い（Ｓ７）、認証の成否を確認する（Ｓ８）。具体的には、第２赤外画像認証部２４は、認証情報格納部４２を参照して、「可視光マーク」で特定したユーザの「赤外光マーク（弱）」の情報を確認する。そして、「ｍａｒｋ Ｂ」が示す情報と一致すれば認証成功と判断し、一致しなければ認証失敗と判断する。例えば、表１の例で「ｍａｒｋ Ａ」によりユーザ１が特定されていた場合には、「ｍａｒｋ Ｂ」の示す情報と「Code5」とが一致すれば認証成功と判断され、一致しなければ認証失敗と判断される。
【０１３８】
ここで、認証失敗と判断した場合（Ｓ８でＮＯ）には、第２赤外画像認証部２４は、Ｓ１２の処理に進む。一方、認証成功と判断した場合（Ｓ８でＹＥＳ）には、第２赤外画像認証部２４は、その旨をマーク位置認証部２５に通知する。
【０１３９】
通知を受けたマーク位置認証部２５は、スキャン画像格納部４１から上記可視光スキャン画像を読み出して、読み出した可視光スキャン画像における、認証カード１の像に対する「ｍａｒｋ Ａ」の位置が適正であるか否かを確認する。
【０１４０】
具体的には、マーク位置認証部２５は、認証情報格納部４２の「パターン」に格納されている可視光スキャン画像とのパターンマッチング用の画像を読み出して、パターンマッチングを行うことで、上記の確認を行う。例えば、「ｍａｒｋ Ａ」によりユーザ１が特定されていた場合には、可視光スキャン画像とImage 1とでパターンマッチングを行い、可視光スキャン画像にImage 1のパターンが含まれていれば適正と判断し、含まれていなければ不適正と判断する。
【０１４１】
ここで、「ｍａｒｋ Ａ」の位置が不適正と判断した場合には、マーク位置認証部２５は、認証に失敗した（Ｓ１０でＮＯ）としてＳ１２の処理に進む。一方、適正であると判断した場合には、マーク位置認証部２５は、スキャン画像格納部４１から上記赤外光スキャン画像を読み出して、読み出した赤外光スキャン画像における、認証カード１の像に対する「ｍａｒｋ Ｂ」及び「ｍａｒｋ Ｃ」の位置が適正であるか否かを確認する。
【０１４２】
具体的には、マーク位置認証部２５は、認証情報格納部４２の「パターン」に格納されている赤外光スキャン画像とのパターンマッチング用の画像を読み出して、パターンマッチングを行うことで、上記の確認を行う。例えば、表１の例で「ｍａｒｋ Ａ」によりユーザ１が特定されていた場合には、赤外光スキャン画像とImage 2（IR）とでパターンマッチングを行い、赤外光スキャン画像にImage 3のパターンが含まれていれば適正と判断し、含まれていなければ不適正と判断する。
【０１４３】
そして、不適正と判断した場合には、マーク位置認証部２５は、認証に失敗した（Ｓ１０でＮＯ）としてＳ１２の処理に進む。一方、適正であると判断した場合には、マーク位置認証部２５は、認証に成功した（Ｓ１０でＹＥＳ）と判断し、表示処理部１３に指示して、認証が成功した旨をセンサ内蔵液晶パネル３０１に表示させる（Ｓ１１）。この後、処理はＳ１に戻る。
【０１４４】
〔認証成功後の処理について〕
図９では、認証が成功した場合に、認証が成功した旨を表示する例を示した。しかし、認証成功後の処理は、この例に限られず、認証装置１００を適用する用途に応じて適宜設定することができる。
【０１４５】
例えば、認証装置１００をコンピュータへのログインの認証に適用した場合には、認証成功後に、ログイン処理がなされるようにしてもよい。この場合には、例えば「赤外光マーク（強）」をログイン用のユーザＩＤとし、「赤外光マーク（弱）」をログイン用のパスワードとしてもよい。また、認証成功後に、パスワードの入力画面を表示し、パスワードによる認証にも成功したときにログインできるようにしてもよい。
【０１４６】
この他、認証成功後に、アクセス可能なユーザが制限されているネットワーク、コンテンツ、ウェブサイト等へのアクセスを行うことができるようにする、施設や設備を利用できるようにする等、認証装置１００を適応する用途に応じた様々な処理を設定することができる。
【０１４７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１４８】
〔センサ内蔵液晶パネル３０１に表示する画像について〕
センサ内蔵液晶パネル３０１は、画像を表示する機能を有しているので、この機能を利用することによって、認証装置１００をさらに利用しやすいものとすることができる。
【０１４９】
例えば、表示処理部１３は、認証カード１の載置を待ち受けている状態において、認証カード１の載置位置を示す情報（文字や図形、絵等の静止画像、あるいは動画像）をセンサ内蔵液晶パネル３０１に表示させてもよい。これにより、ユーザは認証カード１をどこに載置すればよいかを容易に認識することができる。
【０１５０】
なお、この場合には、複数の載置位置を示す情報を表示して、何れかの載置位置をユーザに選択させることによって、スキャン位置による認証（図９のＳ２参照）を行うこともできる。
【０１５１】
また、表示処理部１３は、認証カード１を載置する向き、認証カード１の何れの面をセンサ内蔵液晶パネル３０１に向ければよいか、等を示す情報を表示させることが好ましい。これにより、認証装置１００は、よりユーザが利用しやすいものとなる。
【０１５２】
さらに、認証カード１の載置位置（センサ内蔵液晶パネル３０１上の領域）を示す情報を表示する場合には、スキャン処理部１１は、この領域内でのみスキャン（可視光スキャン及び赤外光スキャン）を行うようにしてもよい。これにより、センサ内蔵液晶パネル３０１の全面でスキャンを行う場合と比べて、消費電力を低減することができる。
【０１５３】
また、上記の構成によれば、センサ内蔵液晶パネル３０１の全面にスキャン用のセンサ（可視光センサ６２及び赤外光センサ６３）を配置する必要がなくなる。したがって、センサ内蔵液晶パネル３０１の製造コストを下げることも可能になる。
【０１５４】
〔認証について〕
上記実施形態では、「ｍａｒｋ Ａ」、「ｍａｒｋ Ｂ」、「ｍａｒｋ Ｃ」の３つのマークが示す情報と、各マークによる認証のために予め認証情報格納部４２に格納された情報とが一致するか否かによって、認証を行う例を説明した。しかし、認証装置１００が行う認証は、この例に限られない。
【０１５５】
例えば、「ｍａｒｋ Ａ」のような視認できるマークと、「ｍａｒｋ Ｃ」のような視認できないマークとの２つのマークを用いて認証を行うようにしてもよい。つまり反射率の異なる複数のマーク（「ｍａｒｋ Ｂ」及び「ｍａｒｋ Ｃ」）を用いることは必須ではない。また、認証カード１の載置位置による認証、マークの配置による認証についても必須ではない。
【０１５６】
また、上記実施形態では、まず可視光スキャンにより「ｍａｒｋ Ａ」を検知し、「ｍａｒｋ Ａ」による認証に成功した場合に、赤外光スキャンにより「ｍａｒｋ Ｂ」、「ｍａｒｋ Ｃ」を検知する例を示したが、この例に限られない。例えば、始めに可視光スキャンと赤外光スキャンとを行い「ｍａｒｋ Ａ」、「ｍａｒｋ Ｂ」、「ｍａｒｋ Ｃ」を全て検知した後で認証を行うようにしてもよい。
【０１５７】
さらに、認証は、「ｍａｒｋ Ａ」のような視認できる認証情報と、「ｍａｒｋ Ｃ」のような視認できない認証情報とを用いて行われるものであればよく、上記の例に限定されない。例えば「ｍａｒｋ Ａ」が示す情報と、「ｍａｒｋ Ｃ」が示す情報とが一致した場合に、認証成功と判定するようにしてもよい。この場合には、認証情報格納部４２を省略することもできる。
【０１５８】
〔認証装置１００の各ブロックの構成例〕
最後に、上記実施形態では、認証装置１００の各ブロック、特に主制御部８００を次のようにＣＰＵを用いてソフトウェアによって実現する例について説明した。
【０１５９】
すなわち、認証装置１００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアである認証装置１００の制御プログラムのプログラムコード（実行形式プログラム、中間コードプログラム、ソースプログラム）をコンピュータで読み取り可能に記録した記録媒体を、上記認証装置１００に供給し、そのコンピュータ（またはＣＰＵやＭＰＵ）が記録媒体に記録されているプログラムコードを読み出し実行することによっても、達成可能である。
【０１６０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１６１】
また、認証装置１００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。無論、認証装置１００の各ブロックは、ハードウェアロジックによって構成することもできる。
【産業上の利用可能性】
【０１６２】
本発明によれば、認証対象物の正当性を容易に判定することができるので、認証対象物を用いて認証を行う様々な装置に利用することができる。例えば、キャッシュカード、クレジットカード、施設や設備を利用するための個人識別カード等の認証装置にも適用可能である。
【符号の説明】
【０１６３】
１１  スキャン処理部
１２  認証部
１３  表示処理部（表示処理手段）
２１  スキャン位置認証部（領域認証手段）
２２  可視光画像認証部（可視光認証手段）
２３  第１赤外画像認証部（第１赤外光認証認証手段）
２４  第２赤外画像認証部（第２赤外光認証認証手段）
２５  マーク位置認証部（配置認証手段）
４２  認証情報格納部（配置情報記憶部、領域情報記憶部）
１００  認証装置
３００  表示／光センサ部（面状部材）
【図１】
2011059794.tif 000004
【図２】
2011059794.tif 000005
【図３】
2011059794.tif 000006
【図４】
2011059794.tif 000007
【図５】
2011059794.tif 000008
【図６】
2011059794.tif 000009
【図７】
2011059794.tif 000010
【図８】
2011059794.tif 000011
【図９】
2011059794.tif 000012